(57)【要約】【課題】反射を多用することなく、輝度向上を図ると共に指針キャップ径を小さくして意匠性の向上を図った指針照明装置を提供する。【解決手段】指針照明用ＬＥＤ１２からの光を指針本体部２１の指針受光面２１Ａに導く円筒状の導光部材５０が設けられている。この導光部材５０は、外側面に設けられ、指針照明用ＬＥＤ１２からの光を受光する導光部材受光面５０Ａと、導光部材受光面５０Ａと対向する内側面に設けられ、導光部材受光面５０Ａから入射された光を指針受光面２１Ａに向けて反射する導光部材反射面５０Ｂとを有している。そして、指針照明用ＬＥＤ１２が、導光部材受光面５０Ａと対向するように配線板１３上に配置されている。【選択図】図１
2008281343.tif 000002
【特許請求の範囲】
【請求項１】
文字板を指示する指針本体部、及び、前記指針本体部の回転軸側の背面に設けられた指針受光面、を有する導光性の指針と、配線板上に搭載された指針照明用の光源と、前記指針と前記配線板との間の前記回転軸を囲むように円筒状に設けて、前記光源からの光を前記指針受光面に導く導光部材とを備えた指針照明装置において、
前記導光部材が、外側面に設けられ、前記光源からの光を受光する導光部材受光面と、前記導光部材受光面と対向する内側面に設けられ、前記導光部材受光面から入射された光を前記指針受光面に向けて反射する導光部材反射面とを有すると共に、
前記光源が、前記導光部材受光面と対向するように前記配線板上に配置されていることを特徴とする指針照明装置。
【請求項２】
前記導光部材受光面が、前記導光部材反射面に向かって凹む凹曲面に設けられたことを特徴とする請求項１に記載の指針照明装置。
【請求項３】
前記配線板上の前記導光部材と対向する部分に設けられた反射層を有することを特徴とする請求項１又は２に記載の指針照明装置。
【請求項４】
前記光源が、前記回転軸を囲むように複数設けられ、
前記導光部材受光面が、前記複数の光源に対応して複数設けられると共に、
前記導光部材の前記指針受光面と対向する導光部材出射面が、前記導光部材受光面に対向する部分が凹部、前記導光部材受光面と前記導光部材受光面との間に対向する部分が凸部、となるように軸回り方向に沿って凹凸状に設けられていることを特徴とする請求項１〜３何れか１項記載の指針照明装置。
【発明の詳細な説明】
【技術分野】
【０００１】
本発明は、指針照明装置に係り、特に、文字板を指示する指針本体部、及び、前記指針本体部の回転軸側の背面に設けられた指針受光面、を有する導光性の指針と、配線板上に搭載された指針照明用の光源と、前記指針と前記配線板との間の前記回転軸を囲むように円筒状に設けて、前記光源からの光を前記指針受光面に導く導光部材とを備えた指針照明装置に関するものである。
【背景技術】
【０００２】
上述した指針照明装置としては、例えば図８〜図１０に示すように、車両に搭載されたスピードメータ１００、タコメータ１０１などのコンビネーションメータに組み込まれたものが知られている。これらのメータ１００、１０１は、図８に示すように、表面に目盛、数字、文字又は記号などの指標が形成された文字板１０２と、この文字板１０２の正面に配置される指針１０３と、を備えている。
【０００３】
上記指針１０３は、図９に示すように、文字板１０２を指示する導光性の指針本体部１０３Ａと、内機１０６の出力軸１０４に取り付けられる回転軸部１０３Ｂと、指針本体部１０３Ａの回転軸部１０３Ｂ側の背面に設けられた指針受光面１０３Ｃとが設けられている。さらに、指針１０３は、指針本体部１０３Ａの反対側に搭載されたバランス１０３Ｄと、上記回転軸部１０３Ｂ、バランス１０３Ｄ及び後述する導光部材１０５を隠す指針キャップ１０３Ｅとが設けられている。なお、回転軸部１０３Ｂは、指針本体部１０３Ａ、バランス１０３Ｄ及び指針キャップ１０３Ｅを保持する指針袴１０３Ｆに一体に設けられている。
【０００４】
また、メータ１００、１０１は、文字板１０２の背面に配置され、例えば車速やエンジン回転数などの計測量に応じて指針１０３を駆動する内機１０６と、文字板１０２の背面に設けられ内機１０６が搭載される配線板１０７と、この配線板１０７上に搭載された指針照明用ＬＥＤ（光源）１０８と、指針１０３と配線板１０７との間の回転軸部１０３Ｂを囲むように円筒状に設けて（図１０参照）、指針照明用ＬＥＤ１０８からの光を指針受光面１０３Ｃに導く導光部材１０５とを備えている。
【０００５】
上述した構成の指針照明装置によれば、指針照明用ＬＥＤ１０８から出射された光は、導光部材１０５を導光し効率よく指針受光面１０３Ｃに導かれるため、指針１０３への光導入を向上させ、指針輝度を上げることができる。
【０００６】
しかしながら、図８〜図１０に示す構造では、指針照明用ＬＥＤ１０８の真上に導光部材１０５の導光部材受光面１０５Ａを設けている。指針照明用ＬＥＤ１０８から指針１０３に対する光を効率よく導くために導光部材受光面１０５Ａを大きくすると、導光部材１０５の径Ｂを大きくする必要があり、そのため、導光部材１０５を覆うためのキャップ径Ａも大きくなり、意匠上の制約が生じるという問題があった。
【０００７】
そこで、例えば、特許文献１に示すように、導光部材１０５の外側面、内側面の両面に指針１０３に近づくに従って回転軸部１０３Ｂに近づくテーパ反射面を設け、指針１０３に近づくに従って導光部材１０５の径Ｂを小さくすることも考えられる。この構成によれば、導光部材１０５に入射された光は、外側面に設けたテーパ反射面→内側面に設けたテーパ反射面の順で導光部材１０５内を反射して指針１０３に導かれる。
【０００８】
しかしながら、このような構成は反射を多用したり、また、外部に出光してしまう光量が大きくなるため光効率が悪く、十分な指針輝度が得られなかった。
【特許文献１】特開平９−２２２３４０号公報
【発明の開示】
【発明が解決しようとする課題】
【０００９】
そこで、本発明は、上記のような問題点に着目し、反射を多用することなく、輝度向上を図ると共に指針キャップ径を小さくして意匠性の向上を図った指針照明装置を提供することを課題とする。
【課題を解決するための手段】
【００１０】
上記課題を解決するためになされた請求項１記載の発明は、文字板を指示する指針本体部、及び、前記指針本体部の回転軸側の背面に設けられた指針受光面、を有する導光性の指針と、配線板上に搭載された指針照明用の光源と、前記指針と前記配線板との間の前記回転軸を囲むように円筒状に設けて、前記光源からの光を前記指針受光面に導く導光部材とを備えた指針照明装置において、前記導光部材が、外側面に設けられ、前記光源からの光を受光する導光部材受光面と、前記導光部材受光面と対向する内側面に設けられ、前記導光部材受光面から入射された光を前記指針受光面に向けて反射する導光部材反射面とを有すると共に、前記光源が、前記導光部材受光面と対向するように前記配線板上に配置されていることを特徴とする指針照明装置に存する。
【００１１】
請求項１記載の発明によれば、導光部材の外側面に光源からの光を受光する導光部材受光面が設けられているので、導光部材の径を大きくしなくても導光部受光面を大きく取ることができる。そして、導光部材反射面での１回の反射で指針受光面に導くことができる。
【００１２】
請求項２記載の発明は、前記導光部材受光面が、前記導光部材反射面に向かって凹む凹曲面に設けられたことを特徴とする請求項１に記載の指針照明装置に存する。
【００１３】
請求項２記載の発明によれば、導光部材受光面が、導光部材反射面に向かって凹む凹曲面に設けられているので、光源から導光部材受光面に入射される光を拡散する方向に屈折して、導光部材内部に入射することができる。
【００１４】
請求項３記載の発明は、前記配線板上の前記導光部材と対向する部分に設けられた反射層を有することを特徴とする請求項１又は２に記載の指針照明装置に存する。
【００１５】
請求項３記載の発明によれば、配線板上の導光部材と対向する部分に反射層を設けることにより、導光部材内に導光された後、導光部材反射面に向かわずに配線板上に向かった光も、導光部材反射面を透過して配線板上に向かった光も、反射層で反射されて指針受光面に向かう。
【００１６】
請求項４記載の発明は、前記光源が、前記回転軸を囲むように複数設けられ、前記導光部材受光面が、前記複数の光源に対応して複数設けられると共に、前記導光部材の前記指針受光面と対向する導光部材出射面が、前記導光部材受光面に対向する部分が凹部、前記導光部材受光面と前記導光部材受光面との間に対向する部分が凸部、となるように軸回り方向に沿って凹凸状に設けられていることを特徴とする請求項１〜３何れか１項記載の指針照明装置に存する。
【００１７】
請求項４記載の発明によれば、導光部材出射面が、導光部材受光面に対向する部分が凹部、導光部材受光面と導光部材受光面との間に対向する部分が凸部、となるように軸回り方向に沿って凹凸状に設けられているので、出射光量の高い導光部材受光面に対向する部分を凹部に設けて指針受光面から遠ざけ、出射光量の低い導光部材受光面に対向する部分を凸部に設けて指針受光面に近づけることができる。
【発明の効果】
【００１８】
以上説明したように請求項１記載の発明によれば、導光部材の外側面に光源からの光を受光する導光部材受光面が設けられているので、導光部材の径を大きくしなくても導光部受光面を大きく取ることができる。そして、導光部材反射面での１回の反射で指針受光面に導くことができるので、反射を多用することなく、輝度向上を図ると共に指針キャップ径を小さくして意匠性の向上を図ることができる。
【００１９】
請求項２記載の発明によれば、光源から導光部材受光面に入射される光を拡散する方向に屈折して、導光部材内部に入射することができるので、輝度ムラを防ぐことができる。
【００２０】
請求項３記載の発明によれば、導光部材内に導光された後、導光部材反射面に向かわずに配線板上に向かった光も、導光部材反射面を透過して配線板上に向かった光も、反射層で反射されて指針受光面に向かうので、効率よく光源からの光を指針に導くことができ、より一層輝度向上を図ることができる。
【００２１】
請求項４記載の発明によれば、出射光量の高い受光面に対向する部分を凹部に設けて指針受光面から遠ざけ、出射光量の低い受光面に対向する部分を凸部に設けて指針受光面に近づけることができるので、指針の回転に応じて生じる輝度ムラを防ぐことができる。
【発明を実施するための最良の形態】
【００２２】
以下、本発明の一実施形態にかかる計器装置の指針照明装置を図１乃至図６を参照して説明する。図１は、本発明の指針照明装置の一実施形態を示す概略断面図である。図２は、図１のＢ部の拡大図である。図３は、図１のＡ部の拡大図である。図４は、図１に示す導光部材の斜示図である。図５は、図４に示す導光部材の展開図である。本発明の一実施形態にかかる指針照明装置は、図６に示す計器装置としての車両用コンビネーションメータ１に用いられる。
【００２３】
車両用コンビネーションメータ１は、自動車等の移動体に搭載されて、この移動体の乗員に対して該移動体の状況を表示する装置である。車両用コンビネーションメータ１は、図６に示すように、計器ケースとしてのケース３１と、見返し板１０と、透明カバー１１と、裏カバー３５と、表示計器４とを備えている。
【００２４】
上記ケース３１には、図６に示すように、後述する各指針２ａ，２ｂ，２ｃ，２ｄの回転軸部２２（図１に示す）が挿入されて取り付けられる指針用開口部３２ａ，３２ｂ，３２ｃ，３２ｄと複数のウォーニング表示用開口部３３がそれぞれ形成されている。又、複数の照明用開口部３４ａ〜３４ｄが設けられ、後述する各文字板６の表示部としての目盛・文字９ａ，９ｂ，９ｃ，９ｄそれぞれを照明する図示しない文字板照明用ＬＥＤが配される。
【００２５】
裏カバー３５は、ケース３１の外縁に組み付けられる。
【００２６】
ケース３１内には、後述する計器ユニットとしてのムーブメント７ａ，７ｂ，７ｃ，７ｄ（内機）や、目盛・文字９ａ，９ｂ，９ｃ，９ｄ用の光源としての文字板照明用ＬＥＤや、各指針２ａ，２ｂ，２ｃ，２ｄ用の光源としての複数の指針照明用ＬＥＤ１２や、後述する導光部材５０ａ，５０ｂ，５０ｃ，５０ｄ等が収容される。ケース３１内には、さらに、ムーブメント７ａ，７ｂ，７ｃ，７ｄ、文字板照明用ＬＥＤ、指針照明用ＬＥＤ１２等と電気的に接続する配線板１３が収容される。配線板１３は、ケース３１と裏カバー３５との間に設けられて、ムーブメント７ａ，７ｂ，７ｃ，７ｄ等の動作を制御するためのマイコン等の電子部品等が実装されている。
【００２７】
見返し板１０は、図６に示すように、各文字板６の移動体の乗員側、即ち前面側に配され、ケース３１に取り付けられる。見返し板１０には、各目盛・文字９ａ，９ｂ，９ｃ，９ｄをそれぞれ移動体の乗員に対して露出させる露出窓としてのスピードメータ露出窓１０ａと、タコメータ露出窓１０ｂと、フューエルゲージ露出窓・テンパラチャゲージ露出窓１０ｄとが形成されており、表示計器４としてのタコメータ４ａ，スピードメータ４ｂ，テンパラチャゲージ４ｃ及びフューエルゲージ４ｄ等の表示部分以外を移動体の乗員に対して遮蔽する。
【００２８】
透明カバー１１は、板状に形成され且つ透明性を有する樹脂等から形成されている。透明カバー１１は、見返し板１０の移動体の乗員側、即ち前面側に配されている。透明カバー１１は、その外縁からケース３１に向かって突設された係止爪（図示せず）が設けられている。係止爪は、ケース３１の係止受け溝内に収容されて係止される。
【００２９】
透明カバー１１は、前述のように、係止爪がケース３１の係止受け溝に係止された際にケース３１の移動体の乗員側、即ち前面側を覆う。透明カバー１１は、文字板６と、見返し板１０と、を覆って車両用コンビネーションメータ１内へ埃等が侵入するのを防ぐ。
【００３０】
表示計器４は、図６に示すように、エンジンの回転数を表示するタコメータ４ａと、車両の速度を表示するスピードメータ４ｂと、エンジンの冷却水の温度を表示するテンパラチャゲージ４ｃと、燃料の残量を表示するフューエルゲージ４ｄと、を備えている。
【００３１】
タコメータ４ａ，スピードメータ４ｂ，テンパラチャゲージ４ｃ及びフューエルゲージ４ｄには、それぞれ、計器ユニットとしてのムーブメント７ａ，７ｂ，７ｃ，７ｄと、計器装置の文字板上のエンジン回転数表示用目盛・文字９ａ，車速表示用目盛・文字９ｂ，冷却水温度表示用目盛・文字９ｃ，燃料残量表示用目盛・文字９ｄ，車速表示用目盛・文字６ｂ，冷却水温度表示用目盛・文字６ｃ，燃料残量表示用目盛・文字６ｄと、指針２ａ，２ｂ，２ｃ，２ｄと、導光部材５０ａ，５０ｂ，５０ｃ，５０ｄ等によって構成されている。
【００３２】
ムーブメント７ａ，７ｂ，７ｃ，７ｄは、それぞれ、車両に搭載された図示しないエンジン回転数計測手段、車速計測手段、冷却水温度計測手段及び燃料残量計測手段等と接続されている。ムーブメント７ａ，７ｂ，７ｃ，７ｄは、それぞれ、これらの計測手段が計測した計測量等に応じて回転する出力軸８ａ，８ｂ，８ｃ，８ｄを備えている。
【００３３】
計器装置の文字板６は、それぞれ、前述したケース３１の取付面Ｍの移動体の乗員側に取り付けられる。
【００３４】
前述した構成によって、表示計器４としてのタコメータ４ａ，スピードメータ４ｂ，テンパラチャゲージ４ｃ及びフューエルゲージ４ｄは、それぞれ、前述した計測手段が計測した計測量に応じて出力軸８ａ，８ｂ，８ｃ，８ｄ及び指針２ａ，２ｂ，２ｃ，２ｄを回転させる。そして、指針２ａ，２ｂ，２ｃ，２ｄが、それぞれ、文字板６それぞれの目盛・文字９ａ，９ｂ，９ｃ，９ｄを指示することによって、移動体の乗員に対して該移動体の状況を表示する。
【００３５】
指針２ａ，２ｂ，２ｃ，２ｄは、アクリル樹脂等の透光性を有する導光材料等から形成されている。なお、指針２ａ，２ｂ，２ｃ，２ｄは、互いに同等の構成であるので、以下タコメータ４ａ用の指針２ａを代表して説明する。
【００３６】
指針２ａは、図１に示すように、目盛・文字９ａを指示する指針本体部２１と、ムーブメント７ａの出力軸８ａが取り付けられる回転軸部２２と、が設けられている。指針本体部２１は、回転軸部２２に取り付けられていて、ムーブメント７ａの出力軸８ａと一体になって回転する。指針２ａは、各計測手段が計測した計測量に応じて、ムーブメント７ａによって回動されて、文字板６上の目盛・文字９ａ等と協働して計測量を表示する。
【００３７】
指針本体部２１は、図３に示すように、回転軸部２２側の背面に設けられ、指針照明用ＬＥＤ１２からの光を入射する指針受光面２１Ａと、正面の指針受光面２１Ａと軸方向に対向する位置に設けられ、指針受光面２１Ａから入射された光を先端側に向けて反射する指針反射面２１Ｂと、を有している。指針本体部２１は、先端に向かうに従って徐々に細くなる錐状に形成されている。指針２ａは、例えば夜間等の暗い時等において、指針本体部２１の指針受光面２１Ａに前述した指針照明用ＬＥＤ１２からの光が入射されて、指針本体部２１が光輝する。
【００３８】
指針２ａは、さらに指針本体部２１の反対側に搭載されたバランス２３と、上記回転軸部２２、バランス２３及び後述する導光ユニット５０ａを隠す指針キャップ２４と、この指針キャップ２４及び指針本体部２１、バランス２３を保持するための指針袴２５と、が設けられている。
【００３９】
導光部材５０ａは、ケース３１に一体に設けられたホルダ部３１Ａによって文字板６の背面側に保持されている。導光部材５０ａは、指針２ａと配線板１３との間の回転軸部２２、出力軸８ａを囲むように円筒状に設けて、指針照明用ＬＥＤ１２からの光を指針受光面２１Ａに導く。
【００４０】
導光部材５０ａは、図１〜図５に示すように、導光部材受光面５０Ａと、導光部材反射面５０Ｂと、導光部材出射面５０Ｃと、を有している。導光部材受光面５０Ａは、図４に示すように、導光部材５０ａの外側面に設けられている。導光部材５０ａの外側面の配線板１３側の端部には、外側に向かって突起する受光凸部５０Ｄが設けられていて、その受光凸部５０Ｄに上記導光部材受光面５０Ａが設けられている。導光部材受光面５０Ａは、図２に示すように、後述する導光部材反射面５０Ｂに向かって凹む凹曲面に設けられている。
【００４１】
指針照明用ＬＥＤ１２は、導光部材５０ａの円筒の径方向に導光部材受光面５０Ａと対向するように配置されている。指針照明用ＬＥＤ１２は、その光軸が導光部材受光面５０Ａに向かうように、即ち径方向と平行になるように配線板１３上に配置されている。これにより、指針照明用ＬＥＤ１２が発光すると、その光が導光部材受光面５０Ａに入射される。本実施形態では、指針照明用ＬＥＤ１２は、回転軸部２２、出力軸８ａを囲むように３つ配線板１３上に配置されている。そして、導光部材受光面５０Ａは、この３つの指針照明用ＬＥＤ１２に対応して３つ設けられている。
【００４２】
導光部材反射面５０Ｂは、図２に示すように、径方向に導光部材受光面５０Ａと対向する導光部材５０ａの内側面に設けられている。導光部材反射面５０Ｂは、配線板１３に近づくに従って指針照明用ＬＥＤ１２に近づくテーパに設けられている。その角度θは約４５°に設けられている。これにより、導光部材反射面５０Ｂは、導光部材受光面５０Ａから入射された径方向に進む光を軸方向、即ち指針受光面２１Ａに向けて反射する。導光部材出射面５０Ｃは、軸方向に指針受光面２１Ａと対向する位置に設けられ、径方向に沿って指針受光面２１Ａに向かう凸曲面に設けられている。これに対して、図３に示すように、指針受光面２１Ａは、導光部材出射面５０Ｃから離れる凹曲面に設けられている。
【００４３】
導光部材出射面５０Ｃは、図４及び図５に示すように、導光部材受光面５０Ａに対向する部分が凹部５０Ｃ１、導光部材受光面５０Ａと導光部材受光面５０Ａとの間に対向する部分が凸部５０Ｃ２、となるように軸回り方向に沿って凹凸状に設けられている。また、上述した配線板１３上の導光部材５０ａと対向する位置には反射率の高い反射層としての白色シルク印刷６０が設けられている。
【００４４】
上述した構成の指針照明装置での光の経路について以下説明する。指針照明用ＬＥＤ１２が点灯すると、指針照明用ＬＥＤ１２は、図２に示すように、導光部材受光面５０Ａに向かう光を出射する。そして、指針照明用ＬＥＤ１２から光が導光部材受光面５０Ａに受光される。受光された光は、凹曲面に設けられた導光部材受光面５０Ａで拡散するように屈折した後、導光部材反射面５０Ｂに向かって進む。導光部材反射面５０Ｂに到達した光は、導光部材反射面５０Ｂで軸方向、即ち指針受光面２１Ａに向けて反射される。
【００４５】
導光部材受光面５０Ａから受光された光のうち、導光部材反射面５０Ｂに向かわずに配線板１３上に向かった光や、導光部材反射面５０Ｂを透過して配線板１３上に向かった光は、白色シルク印刷６０で反射されて軸方向に向かう。
【００４６】
指針受光面２１Ａに向けて反射された光は、導光部材出射面５０Ｃから指針受光面２１Ａに向けて出射される。出射された光は、図３に示すように、凸曲面に設けられた導光部材出射面５０Ｃで集光する方向に屈折した後、指針受光面２１Ａに向かって進み、指針受光面２１Ａから指針本体部２１内に受光される。受光された光は、凹曲面に設けられた指針受光面２１Ａで拡散するように屈折した後、指針反射面２１Ｂに進む。指針反射面２１Ｂに到達した光は、指針反射面２１Ｂで先端に向けて反射される。これにより指針２ａが光輝して視認される。
【００４７】
上述した実施形態によれば、導光部材５０ａの外側面に指針照明用ＬＥＤ１２からの光を有効に受光する導光部材受光面５０Ａが設けられており、又、導光部材反射面５０Ｂでの１回の反射で指針受光面２１Ａに導くことができるため、反射を多用することなく、輝度向上を図れるので、導光部材５０ａの径Ｂ′を小さくでき、指針キャップ径Ａ′を小さくして意匠性の向上を図ることができる。
【００４８】
また、上述した実施形態によれば、導光部材受光面５０Ａが、導光部材反射面５０Ｂに向かって凹む凹曲面に設けられている。これにより、指針照明用ＬＥＤ１２から導光部材受光面５０Ａに入射される光を拡散する方向に屈折して、導光部材５０ａ内部に入射することができ、輝度ムラを防ぐことができる。
【００４９】
また、上述した実施形態によれば、配線板１３上の導光部材５０ａと対向する部分に白色シルク印刷６０を設けることにより、導光部材５０ａ内に導光された後、導光部材反射面５０Ｂに向かわずに配線板１３上に向かった光も、導光部材反射面５０Ｂを透過して配線板１３上に向かった光も、白色シルク印刷６０で反射されて指針受光面２１Ａに向かうより一層輝度向上を図ることができる。
【００５０】
また、上述した実施形態によれば、導光部材出射面５０Ｃが、導光部材受光面５０Ａに対向する部分が凹部５０Ｃ１、導光部材受光面５０Ａと他の導光部材受光面５０Ａとの間に対向する部分が凸部５０Ｃ２、となるように軸回り方向に沿って凹凸状に設けられている。これにより、出射光量の高い導光部材受光面５０Ａに対向する部分を凹部５０Ｃ１に設けて指針受光面２１Ａから遠ざけ、出射光量の低い導光部材受光面５０Ａに対向する部分を凸部５０Ｃ２に設けて指針受光面２１Ａに近づけることができ、指針回転範囲のどの位置でも一定量となるように、効率よく指針照明用ＬＥＤ１２からの光を指針２ａに導くことができ、指針２ａの回転に応じて生じる輝度ムラを防ぐことができる。
【００５１】
また、上述した実施形態によれば、凸曲面に設けられた導光部材出射面５０Ｃで光を集光させて出射させた後、凹曲面に設けられた指針受光面２１Ａに入射して指針本体部２１内で拡散させるので、導光部材出射面５０Ｃから出射された光をムダなく指針受光面２１Ａに受光させることができ、効率よく指針照明用ＬＥＤ１２からの光を指針本体部２１に導くことができ、より一層輝度向上を図ることができる。
【００５２】
なお、上述した実施形態によれば、導光部材受光面５０Ａは図２に示す凹曲面に設けていたが、本発明はこれに限ったものではなく、例えば図７に示すような凹曲面に設けることも考えられる。また、導光部材受光面５０Ａをフラットに設けてもよい。
【００５３】
また、上述した実施形態によれば、反射層として白色シルク印刷６０を施していたが、本発明はこれに限ったものではない。反射層としては反射率の高いものであればよく、ミラー処理などを施してもよい。
【００５４】
また、上述した実施形態によれば、導光部材出射面５０Ｃが、軸回り方向に凹凸状に設けられていたが、本発明はこれに限ったものではない。例えば、導光部材出射面５０Ｃを軸回り方向にフラットに設けてもよい。
【００５５】
また、上述した実施形態によれば、導光部材出射面５０Ｃが凸曲面に、指針受光面２１Ａが凹曲面に設けられていたが、本発明はこれに限ったものではない。例えば、導光部材出射面５０Ｃ、指針受光面２１Ａはフラットに設けてもよい。
【００５６】
上述した実施形態では、タコメータ４ａについて主に説明したが、本発明では、スピードメータ４ｂ，テンパラチャゲージ４ｃ，フューエルゲージ４ｄについても同様の構成とすることはもちろんである。
【００５７】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５８】
【図１】本発明の指針照明装置の一実施形態を示す概略断面図である。
【図２】図１のＢ部の拡大図である。
【図３】図１のＡ部の拡大図である。
【図４】図１に示す導光部材の斜示図である。
【図５】図４に示す導光部材の展開図である。
【図６】図１に示す指針照明装置を組み込んだコンビネーションメータを示す分解斜示図である。
【図７】他の実施形態におけるＢ部の拡大図である。
【図８】従来の指針照明装置を組み込んだコンビネーションメータの一例を示す正面図である。
【図９】図８のＩ−Ｉ線部分断面図である。
【図１０】図９に示す導光部材の斜示図である。
【符号の説明】
【００５９】
２ａ      指針
２ｂ      指針
２ｃ      指針
２ｄ      指針
６        文字板
１２      指針照明用ＬＥＤ（光源）
１３      配線板
２１      指針本体部
２２      回転軸部（回転軸）
２１Ａ    指針受光面
５０ａ    導光部材
５０ｂ    導光部材
５０ｃ    導光部材
５０ｄ    導光部材
５０Ａ    導光部材受光面
５０Ｂ    導光部材反射面
５０Ｃ    導光部材出射面
５０Ｃ１  凹部
５０Ｃ２  凸部
６０      白色シルク印刷（反射層）
【図１】
2008281343.tif 000003
【図２】
2008281343.tif 000004
【図３】
2008281343.tif 000005
【図４】
2008281343.tif 000006
【図５】
2008281343.tif 000007
【図６】
2008281343.tif 000008
【図７】
2008281343.tif 000009
【図８】
2008281343.tif 000010
【図９】
2008281343.tif 000011
【図１０】
2008281343.tif 000012